(57)【特許請求の範囲】
【請求項１】
光伝送路を介して送信された光信号をＲＦ信号又はＦＭ信号に変換して出力する光受信機と、この光受信機にて変換されたＲＦ信号を受信するテレビ受像機と、この光受信機にて変換されたＲＦ信号又はＦＭ信号を受信する告知放送受信機と、を備えて構成された光受信システムにおいて、前記光受信機と前記テレビ受像機及び前記告知放送受信機との相互間に配置される切り替え器であって、
前記光受信機から出力されたＲＦ信号の入力を受けるＲＦ入力端子と、
前記光受信機から出力されたＦＭ信号の入力を受けるＦＭ入力端子と、
前記ＲＦ入力端子にて入力を受けたＲＦ信号又は前記ＦＭ入力端子にて入力を受けたＦＭ信号を、前記テレビ受像機及び前記告知放送受信機に対して出力する出力端子と、
前記ＲＦ入力端子又は前記ＦＭ入力端子のいずれか一方を、選択的に切り替えて、前記出力端子に対して接続する切り替え手段と、
前記出力端子に入力された電源を、前記切り替え手段を介することなく、前記ＲＦ入力端子に給電する第１給電路と、
を備える光受信システム用の切り替え器。
【請求項２】
光伝送路を介して送信された光信号をＲＦ信号又はＦＭ信号に変換して出力する光受信機と、この光受信機にて変換されたＲＦ信号を受信するテレビ受像機と、この光受信機にて変換されたＲＦ信号又はＦＭ信号を受信する告知放送受信機と、を備えて構成された光受信システムにおいて、前記光受信機と前記テレビ受像機及び前記告知放送受信機との相互間に配置される切り替え器であって、
前記光受信機から出力されたＲＦ信号の入力を受けるＲＦ入力端子と、
前記光受信機から出力されたＦＭ信号の入力を受けるＦＭ入力端子と、
前記ＲＦ入力端子にて入力を受けたＲＦ信号又は前記ＦＭ入力端子にて入力を受けたＦＭ信号を、前記テレビ受像機及び前記告知放送受信機に対して出力する出力端子と、
前記ＲＦ入力端子又は前記ＦＭ入力端子のいずれか一方を、選択的に切り替えて、前記出力端子に対して接続する切り替え手段とを備え、
前記切り替え手段は、
当該切り替え器の下流側に配置された電源供給器から供給され前記出力端子に入力された電源によって駆動され、
前記電源供給器から給電が行われている場合には、前記ＲＦ入力端子を前記出力端子に接続し、
前記電源供給器から給電が行われていない場合には、前記ＦＭ入力端子を前記出力端子に接続する、
光受信システム用の切り替え器。
【請求項３】
光伝送路を介して送信された光信号をＲＦ信号又はＦＭ信号に変換して出力する光受信機と、この光受信機にて変換されたＲＦ信号を受信するテレビ受像機と、この光受信機にて変換されたＲＦ信号又はＦＭ信号を受信する告知放送受信機と、を備えて構成された光受信システムにおいて、前記光受信機と前記テレビ受像機及び前記告知放送受信機との相互間に配置される切り替え器であって、
前記光受信機から出力されたＲＦ信号の入力を受けるＲＦ入力端子と、
前記光受信機から出力されたＦＭ信号の入力を受けるＦＭ入力端子と、
前記ＲＦ入力端子にて入力を受けたＲＦ信号又は前記ＦＭ入力端子にて入力を受けたＦＭ信号を、前記テレビ受像機及び前記告知放送受信機に対して出力する出力端子と、
前記ＲＦ入力端子又は前記ＦＭ入力端子のいずれか一方を、選択的に切り替えて、前記出力端子に対して接続する切り替え手段と、
外部電源から供給された電源の入力を受ける電源入力端子と、
前記電源入力端子に入力された電源を、前記切り替え手段を介することなく、前記ＲＦ入力端子に給電する第２給電路と、
を備える光受信システム用の切り替え器。
【請求項４】
前記切り替え手段は、
前記電源入力端子に入力された電源によって駆動され、
前記外部電源から給電が行われている場合には、前記ＲＦ入力端子を前記出力端子に接続し、
前記外部電源から給電が行われていない場合には、前記ＦＭ入力端子を前記出力端子に接続する、
請求項３に記載の光受信システム用の切り替え器。
【請求項５】
光伝送路を介して送信された光信号をＲＦ信号又はＦＭ信号に変換して出力する光受信機と、
前記光受信機にて変換されたＲＦ信号を受信するテレビ受像機と、
前記光受信機にて変換されたＲＦ信号又はＦＭ信号を受信する告知放送受信機と、
前記光受信機と前記テレビ受像機及び前記告知放送受信機との相互間に配置される切り替え器と、
前記光受信機にて変換され前記切り替え器を介して送信されたＲＦ信号とＦＭ信号を分岐し、当該分岐されたＲＦ信号を前記テレビ受像機に送信すると共に、当該分岐されたＲＦ信号とＦＭ信号を前記告知放送受信機に送信する分岐器と、
を備えた光受信システムであって、
前記切り替え器を、前記請求項１から４のいずれか一項に記載の光受信システム用の切り替え器として構成し、
前記分岐器は、幹線側出力端子と分岐側出力端子とを備え、
前記幹線側出力端子に前記告知放送受信機を接続し、
前記分岐側出力端子に前記テレビ受像機を接続し、
前記幹線側出力端子と前記告知放送受信機との相互間に、前記切り替え器を介して前記光受信機に対して電源を供給するための電源供給器を配置した、
光受信システム。
【発明の詳細な説明】
【技術分野】
【０００１】
本発明は、光伝送システムにおいて光信号を受信するための光受信システムと、この光受信システムに用いられる切り替え器に関する。
【背景技術】
【０００２】
近年では、光通信技術の進展に伴い、光ケーブルを用いた光伝送システムが普及している。この光伝送システムによれば、数１０Ｋｍ程度の無中継伝送が可能となるため、伝送システムを容易に広域化できる。この光伝送システムは、概略的には、送信者側に配置した光送信機と、受信者側に配置した光受信機（光終端端末装置、ＯＮＵ：Ｏｐｔｉｃａｌ  Ｎｅｔｗｏｒｋ  Ｕｎｉｔ）とを、光ケーブルにて構成された長距離伝送路を介して接続して構成されている。このように構成された光伝送システムにおいて、送信側では、ＴＶ信号や告知放送信号が混合された電気信号を光送信機によって光信号に変換し、この光信号を光ケーブルを介して送信する。一方、受信側では、この光信号を光受信機を介して受信してＲＦ信号やＦＭ信号に変換し、ＲＦ信号をテレビ受像機に出力すると共に、ＲＦ信号やＦＭ信号を告知放送受信機に出力する。
【０００３】
図１３は、従来の光受信システムの構成図である。光受信機２００には、ＲＦ信号出力用のＲＦ出力端子２０１とＦＭ信号出力用のＦＭ出力端子２０２が設けられており、ＲＦ出力端子２０１は同軸ケーブル２０３を介してテレビ受像機２０４に接続され、ＦＭ出力端子２０２は同軸ケーブル２０５を介して告知放送受信機２０６に接続されていた。このような接続形態では、２本の同軸ケーブル２０３、２０５を敷設する必要があるため、美観性や施工性を低下させるという問題があった。
【０００４】
このような問題を解決するため、従来、光受信機の内部でＲＦ信号とＦＭ信号を混合することも提案されている（例えば、特許文献１、図５参照）。この光受信機によれば、混合した信号を１本の同軸ケーブルを介して伝送し、伝送された信号をテレビ受像機や告知放送受信機の近傍に配置した分波器でＲＦ信号とＦＭ信号に分波し、ＲＦ信号をテレビ受像機に出力すると共に、ＲＦ信号やＦＭ信号を告知放送受信機に出力することができる。従って、光受信機から分波器に至る間では、同軸ケーブルを１本のみ配線すればよく、美観性や施工性を向上させることが可能になる。
【０００５】
あるいは、光受信機の内部ではなく、光受信機の後段側でＲＦ信号とＦＭ信号の混合や分岐を行うことも考えられる。具体的には、図１４の光受信システムの構成図に示すように、光受信機２００の後段近傍に分配器２０７を配置すると共に、テレビ受像機２０４と告知放送受信機２０６の前段近傍に分岐器２０８を配置し、これら各機器を同軸ケーブル２０３を介して図示のように接続する。この構成によれば、分配器２０７で混合されたＲＦ信号とＦＭ信号を、１本の同軸ケーブル２０３を介して、テレビ受像機２０４と告知放送受信機２０６の前段近傍まで伝送することが可能になる。
【０００６】
また、このようなＲＦ信号とＦＭ信号の混合を、分配器ではなく混合器で行うことも考えられる。具体的には、図１５の構成図に示すように、図１４の分配器に代えて混合器２０９を設置する。この構成によれば、混合器２０９で混合されたＲＦ信号とＦＭ信号を、１本の同軸ケーブル２０３を介して、テレビ受像機２０４と告知放送受信機２０６の前段近傍まで伝送することが可能になる。
【先行技術文献】
【特許文献】
【０００７】
【特許文献１】特開２００９−３３４０５号公報
【発明の概要】
【発明が解決しようとする課題】
【０００８】
しかしながら、上記特許文献１に記載の従来の光受信機のように、光受信機の内部でＲＦ信号とＦＭ信号を混合するためには、光受信機の内部に混合用回路を組み込む必要があり、光受信機が大型化したり、光受信機の製造コストが増大したりするという問題が生じていた。さらに、既存の光受信機に関してこの技術を適用するためには内部回路の改造が必要になるが、このような改造は現実には困難であるため、このような技術を適用すること自体が現実に無理であった。
【０００９】
また、図１４に記載の構成では、分配器には分配損失があるため、出力が小さい光受信機に適用することが困難であった。すなわち、光受信機としては、従来から、無給電式の光受信機も実用化されている。この無給電式の光受信機は、受信者側に電力が給電されている時には、外部からの電力供給を受けて動作し、停電等による無給電時には、内部のＰＤ（Ｐｈｏｔｏ  Ｄｉｏｄｅ）の起電力により動作して信号出力することができる光受信機であり、このような無給電式の光受信機を用いることで、停電時であっても告知放送受信機から非常用告知放送を行うこと等が可能となる。しかしながら、このような無給電式の光受信機は、無給電時の信号の出力レベルが小さいため、分配器での分配損失が生じることで、告知放送受信機に対して十分な出力の信号を伝送できない可能性があった。また、端子間結合損失が小さい分配器を使用した場合には、ＲＦ出力端子のＲＦ出力がＦＭ出力端子に戻ってしまい、光受信機の内部で異常発振を生じさせる可能性があった。
【００１０】
さらに、図１５に記載の構成では、一部の周波数の信号が失われるという問題があった。すなわち、一般的には、ＦＭ信号の帯域（告知放送帯域）は７０〜９０ＭＨｚであり、ＲＦ信号の帯域（テレビ周波数帯域）は９０ＭＨｚ以上であって、これら両信号の周波数が連続しているため、この連続領域の９０ＭＨｚ付近の周波数の信号が、混合と分岐を行うことで失われてしまうという問題があった。
【００１１】
本発明は、上記に鑑みてなされたものであって、光受信機の改造や信号の損失を伴うことなく、光受信機とテレビ受像機及び告知放送受信機とを接続する同軸ケーブルの単線化を図ることが可能になる、光受信システム及びそのための切り替え器を提供することを目的とする。
【課題を解決するための手段】
【００１２】
上述した課題を解決し、目的を達成するために、請求項１に記載の光受信システム用の切り替え器は、光伝送路を介して送信された光信号をＲＦ信号又はＦＭ信号に変換して出力する光受信機と、この光受信機にて変換されたＲＦ信号を受信するテレビ受像機と、この光受信機にて変換されたＲＦ信号又はＦＭ信号を受信する告知放送受信機と、を備えて構成された光受信システムにおいて、前記光受信機と前記テレビ受像機及び前記告知放送受信機との相互間に配置される切り替え器であって、前記光受信機から出力されたＲＦ信号の入力を受けるＲＦ入力端子と、前記光受信機から出力されたＦＭ信号の入力を受けるＦＭ入力端子と、前記ＲＦ入力端子にて入力を受けたＲＦ信号又は前記ＦＭ入力端子にて入力を受けたＦＭ信号を、前記テレビ受像機及び前記告知放送受信機に対して出力する出力端子と、前記ＲＦ入力端子又は前記ＦＭ入力端子のいずれか一方を、選択的に切り替えて、前記出力端子に対して接続する切り替え手段と、前記出力端子に入力された電源を、前記切り替え手段を介することなく、前記ＲＦ入力端子に給電する第１給電路と、を備える。
【００１４】
また、請求項２に記載の光受信システム用の切り替え器は、光伝送路を介して送信された光信号をＲＦ信号又はＦＭ信号に変換して出力する光受信機と、この光受信機にて変換されたＲＦ信号を受信するテレビ受像機と、この光受信機にて変換されたＲＦ信号又はＦＭ信号を受信する告知放送受信機と、を備えて構成された光受信システムにおいて、前記光受信機と前記テレビ受像機及び前記告知放送受信機との相互間に配置される切り替え器であって、前記光受信機から出力されたＲＦ信号の入力を受けるＲＦ入力端子と、前記光受信機から出力されたＦＭ信号の入力を受けるＦＭ入力端子と、前記ＲＦ入力端子にて入力を受けたＲＦ信号又は前記ＦＭ入力端子にて入力を受けたＦＭ信号を、前記テレビ受像機及び前記告知放送受信機に対して出力する出力端子と、前記ＲＦ入力端子又は前記ＦＭ入力端子のいずれか一方を、選択的に切り替えて、前記出力端子に対して接続する切り替え手段とを備え、前記切り替え手段は、当該切り替え器の下流側に配置された電源供給器から供給され前記出力端子に入力された電源によって駆動され、前記電源供給器から給電が行われている場合には、前記ＲＦ入力端子を前記出力端子に接続し、前記電源供給器から給電が行われていない場合には、前記ＦＭ入力端子を前記出力端子に接続する。
【００１５】
また、請求項３に記載の光受信システム用の切り替え器は、光伝送路を介して送信された光信号をＲＦ信号又はＦＭ信号に変換して出力する光受信機と、この光受信機にて変換されたＲＦ信号を受信するテレビ受像機と、この光受信機にて変換されたＲＦ信号又はＦＭ信号を受信する告知放送受信機と、を備えて構成された光受信システムにおいて、前記光受信機と前記テレビ受像機及び前記告知放送受信機との相互間に配置される切り替え器であって、前記光受信機から出力されたＲＦ信号の入力を受けるＲＦ入力端子と、前記光受信機から出力されたＦＭ信号の入力を受けるＦＭ入力端子と、前記ＲＦ入力端子にて入力を受けたＲＦ信号又は前記ＦＭ入力端子にて入力を受けたＦＭ信号を、前記テレビ受像機及び前記告知放送受信機に対して出力する出力端子と、前記ＲＦ入力端子又は前記ＦＭ入力端子のいずれか一方を、選択的に切り替えて、前記出力端子に対して接続する切り替え手段と、外部電源から供給された電源の入力を受ける電源入力端子と、前記電源入力端子に入力された電源を、前記切り替え手段を介することなく、前記ＲＦ入力端子に給電する第２給電路を備える。
【００１６】
また、請求項４に記載の光受信システム用の切り替え器は、請求項３に記載の光受信システム用の切り替え器において、前記切り替え手段は、前記電源入力端子に入力された電源によって駆動され、前記外部電源から給電が行われている場合には、前記ＲＦ入力端子を前記出力端子に接続し、前記外部電源から給電が行われていない場合には、前記ＦＭ入力端子を前記出力端子に接続する。
【００１７】
また、請求項５に記載の光受信システムは、光伝送路を介して送信された光信号をＲＦ信号又はＦＭ信号に変換して出力する光受信機と、前記光受信機にて変換されたＲＦ信号を受信するテレビ受像機と、前記光受信機にて変換されたＲＦ信号又はＦＭ信号を受信する告知放送受信機と、前記光受信機と前記テレビ受像機及び前記告知放送受信機との相互間に配置される切り替え器と、前記光受信機にて変換され前記切り替え器を介して送信されたＲＦ信号とＦＭ信号を分岐し、当該分岐されたＲＦ信号を前記テレビ受像機に送信すると共に、当該分岐されたＲＦ信号とＦＭ信号を前記告知放送受信機に送信する分岐器とを備えた光受信システムであって、前記切り替え器を、前記請求項１から４のいずれか一項に記載の光受信システム用の切り替え器として構成し、前記分岐器は、幹線側出力端子と分岐側出力端子とを備え、前記幹線側出力端子に前記告知放送受信機を接続し、前記分岐側出力端子に前記テレビ受像機を接続し、前記幹線側出力端子と前記告知放送受信機との相互間に、前記切り替え器を介して前記光受信機に対して電源を供給するための電源供給器を配置した。
【発明の効果】
【００２０】
このように、請求項１に記載の光受信システム用の切り替え器によれば、この切り替え器を光受信機とテレビ受像機及び告知放送受信機との相互間に配置すると共に、切り替え器の出力端子からの出力を分岐器で分岐してテレビ受像機や告知放送受信機に送信することで、切り替え器から分岐器に至る間の伝送路を１本の同軸ケーブルで構成することができ、同軸ケーブルの単線化を図ることができるため、従来のように複数の同軸ケーブルを使用していた場合に比べて、美観性や施工性を向上させることができる。また、この構成では、光受信機の改造が不要であるため、既設の光受信機をそのまま使用して光受信システムを構成することができる。さらに、この構成では、信号の混合や分波を行う必要がないために、信号の損失を生じさせることがない。さらにまた、光受信機を２端子出力とすることで、使用ニーズによっては、切り替え器を用いることなく、従来と同様に２本の同軸ケーブルを介してＲＦ信号とＦＭ信号を別々に出力することもできる等、光受信機の内部で信号の混合等を行って１つの出力端子から出力を行う場合に比べて、光受信システムを構成する上での自由度を高めることができる。
また、切り替え手段の切り替え状態に関わらず、電源供給器からの電源がＲＦ入力端子に入力されるので、切り替え手段にサージが発生することを防止でき、サージによって切り替え手段にストレスが生じることを防止できる。また、電源供給器からの電源を常に光受信機に給電することで、光受信機を自己発熱させて耐湿度性を高めておくことができ、光受信機が湿度によりダメージを受けることを防止できる。
【００２２】
また、請求項２に記載の光受信システム用の切り替え器によれば、この切り替え器を光受信機とテレビ受像機及び告知放送受信機との相互間に配置すると共に、切り替え器の出力端子からの出力を分岐器で分岐してテレビ受像機や告知放送受信機に送信することで、切り替え器から分岐器に至る間の伝送路を１本の同軸ケーブルで構成することができ、同軸ケーブルの単線化を図ることができるため、従来のように複数の同軸ケーブルを使用していた場合に比べて、美観性や施工性を向上させることができる。また、この構成では、光受信機の改造が不要であるため、既設の光受信機をそのまま使用して光受信システムを構成することができる。さらに、この構成では、信号の混合や分波を行う必要がないために、信号の損失を生じさせることがない。さらにまた、光受信機を２端子出力とすることで、使用ニーズによっては、切り替え器を用いることなく、従来と同様に２本の同軸ケーブルを介してＲＦ信号とＦＭ信号を別々に出力することもできる等、光受信機の内部で信号の混合等を行って１つの出力端子から出力を行う場合に比べて、光受信システムを構成する上での自由度を高めることができる。
また、電源供給器からの給電の有無に応じて切り替え手段を自動的に動作させることが可能になるので、切り替え手段を手動で操作する手間を省くことができると共に、手動操作時の誤動作を防止することができる。
【００２３】
また、請求項３に記載の光受信システム用の切り替え器によれば、この切り替え器を光受信機とテレビ受像機及び告知放送受信機との相互間に配置すると共に、切り替え器の出力端子からの出力を分岐器で分岐してテレビ受像機や告知放送受信機に送信することで、切り替え器から分岐器に至る間の伝送路を１本の同軸ケーブルで構成することができ、同軸ケーブルの単線化を図ることができるため、従来のように複数の同軸ケーブルを使用していた場合に比べて、美観性や施工性を向上させることができる。また、この構成では、光受信機の改造が不要であるため、既設の光受信機をそのまま使用して光受信システムを構成することができる。さらに、この構成では、信号の混合や分波を行う必要がないために、信号の損失を生じさせることがない。さらにまた、光受信機を２端子出力とすることで、使用ニーズによっては、切り替え器を用いることなく、従来と同様に２本の同軸ケーブルを介してＲＦ信号とＦＭ信号を別々に出力することもできる等、光受信機の内部で信号の混合等を行って１つの出力端子から出力を行う場合に比べて、光受信システムを構成する上での自由度を高めることができる。
また、電源供給器を省略することができるので、光受信システムを一層簡易かつ安価に構成することができる。また、サージによって切り替え手段にストレスが生じることを防止できると共に、光受信機が湿度によりダメージを受けることを防止できる。
【００２４】
また、請求項４に記載の光受信システム用の切り替え器によれば、外部電源からの給電の有無に応じて切り替え手段を自動的に動作させることが可能になるので、切り替え手段を手動で操作する手間を省くことができると共に、手動操作時の誤動作を防止することができる。
【００２５】
また、請求項５に記載の光受信システムによれば、切り替え器から分岐器に至る間の伝送路を１本の同軸ケーブルで構成することができ、同軸ケーブルの単線化を図ることができるので、従来のように複数の同軸ケーブルを使用していた場合に比べて、美観性や施工性を向上させることができる。また、この構成では、光受信機の改造が不要であるため、既設の光受信機をそのまま使用して光受信システムを構成することができる。さらに、この構成では、信号の混合や分波を行う必要がないために、信号の損失を生じさせることがない。さらにまた、光受信機は２端子出力とすることで、使用ニーズによっては、切り替え器を用いることなく、従来と同様に２本の同軸ケーブルを介してＲＦ信号とＦＭ信号を別々に出力することもできる等、光受信機の内部で信号の混合等を行って１つの出力端子から出力を行う場合に比べて、光受信システムを構成する上での自由度を高めることができる。
また、信号ロスが分岐系統に比べて少ない幹線系統に告知放送受信機を接続することにより、分岐器によるＦＭ信号の信号ロスを最小限に抑えることが可能になる。
また、切り替え器を配置した場合においても、切り替え器を使用していない従来の光受信システムと同様に、電源供給器の電源により光受信機を動作させることが可能になる。
【図面の簡単な説明】
【００２８】
【図１】本発明の実施の形態１に係る光受信システムの構成図である。
【図２】実施の形態１に係る切り替え器の回路図である。
【図３】実施の形態１に係る分岐器の回路図である。
【図４】実施の形態２に係る切り替え器の回路図である。
【図５】実施の形態３に係る切り替え器の回路図である。
【図６】実施の形態４に係る切り替え器の回路図である。
【図７】実施の形態５に係る切り替え器の回路図である。
【図８】実施の形態６に係る切り替え器の回路図である。
【図９】実施の形態７に係る切り替え器の回路図である。
【図１０】実施の形態８に係る切り替え器の回路図である。
【図１１】実施の形態９に係る切り替え器の回路図である。
【図１２】実施の形態１０に係る切り替え器の回路図である。
【図１３】従来の光受信システムの構成図である。
【図１４】従来の他の光受信システムの構成図である。
【図１５】従来の他の光受信システムの構成図である。
【発明を実施するための形態】
【００２９】
以下に添付図面を参照して、この発明に係る光受信システム及びそのための切り替え器の各実施の形態を詳細に説明する。ただし、これら各実施の形態によって本発明が限定されるものではない。
【００３０】
〔実施の形態１〕
最初に、実施の形態１について説明する。この実施の形態１は、最も簡易に構成された切り替え器に係る形態である。
【００３１】
（構成）
図１は、実施の形態１に係る光受信システムの構成図である。この図１に示すように、光受信システム１は、光受信機１０と、告知放送受信機２０及びテレビ受像機３０とを、切り替え器４０及び分岐器５０を介して、図示のように接続して構成されている。また、この光受信システム１には、パワーインサータ６０（図示では「ＰＩ」と示す）が配置されている。なお、告知放送受信機２０及びテレビ受像機３０については、従来と同様に構成することができるので、その詳細な説明は省略する。また、光受信機１０、分岐器５０、及びパワーインサータ６０についても、基本的には従来と同様に構成することができるので、以下では、特に本実施の形態に関連する構成のみを説明し、その他の詳細な説明は省略する。
【００３２】
（構成−光受信機）
光受信機１０は、機器の駆動用電源の供給が無くても信号出力が可能な無給電式の光受信機であって、ＰＤ、アンプ、ＲＦ出力端子１１、及びＦＭ出力端子１２を備えて構成されている（ＰＤ及びアンプの図示は省略する）。この光受信機１０は、当該光受信機１０に対するパワーインサータ６０からの給電が行われている場合には、当該パワーインサータ６０から供給された電力をＲＦ出力端子１１を介して受電し、この電力を用いて、ＰＤにて光信号を電気信号（以下、ＲＦ信号）に変換し、このＲＦ信号をアンプにて増幅してＲＦ出力端子１１を介して外部に出力すると共に、ＲＦ信号から取得されたＦＭ信号をＦＭ出力端子１２を介して外部に出力する。また、光受信機１０は、当該光受信機１０に対するパワーインサータ６０からの給電が行われていない場合には、ＰＤを無バイアスモードで駆動することにより起電力を発生させ、この電力を用いてＲＦ信号を生成し、このＲＦ信号から取得されたＦＭ信号をＦＭ出力端子１２を介して外部に出力する。このような無給電式の光受信機１０の具体的な回路構成としては、上述の特許文献１の他にも、例えば、特開２０１０−０６８１９５号公報や特開２０１０−０９３７７８号公報に開示されている構成を適用することができる。なお、当該光受信機１０に対するパワーインサータ６０からの給電が行われている場合とは、通常は非停電時を意味し、当該光受信機１０に対するパワーインサータ６０からの給電が行われていない場合とは、通常は停電時を意味するが、後者の場合としては、非停電時であっても、パワーインサータ６０が故障した時や、パワーインサータ６０の電源が誤って抜かれた時等を含み得る。以下では、対象機器に対して電源が供給されている状態を「給電時」と称し、対象機器に対して電源が供給されていない状態をその原因に関わらず「無給電時」と称する。
【００３３】
（構成−切り替え器）
切り替え器４０は、光受信機１０から出力されたＲＦ信号とＦＭ信号とのいずれか一方を選択的に切り替えて後段側に出力するものである。図２には、切り替え器４０の回路図を示す。この図２に示すように、切り替え器４０は、ＲＦ入力端子４１、ＦＭ入力端子４２、出力端子４３、及び切り替えスイッチ４４を備えて構成されている。図１、２に示すように、ＲＦ入力端子４１は、光受信機１０から出力されたＲＦ信号の入力を受ける入力端子であり、光受信機１０のＲＦ出力端子１１と同軸ケーブル７０で接続されている。ＦＭ入力端子４２は、光受信機１０から出力されたＦＭ信号の入力を受ける入力端子であり、光受信機１０のＦＭ出力端子１２と同軸ケーブル７１で接続されている。出力端子４３は、ＲＦ入力端子４１にて入力を受けたＲＦ信号又はＦＭ入力端子４２にて入力を受けたＦＭ信号を、告知放送受信機２０及びテレビ受像機３０に対して出力する出力端子であり、具体的には、分岐器５０の後述する幹線側入力端子５３と同軸ケーブル７２で接続されている。切り替えスイッチ４４は、ＲＦ入力端子４１又はＦＭ入力端子４２のいずれか一方を、選択的に出力端子４３に切り替えて接続する切り替え手段であり、手動の機械式スイッチとして構成されている。この切り替えスイッチ４４の切り替えは、ユーザやメンテナンス者が任意のタイミングにおいて手動で行うことができる。
【００３４】
（構成−分岐器）
図１において、分岐器５０は、光受信機１０にて変換され切り替え器４０を介して送信されたＲＦ信号やＦＭ信号を分岐し、分岐したこれらのＲＦ信号やＦＭ信号を告知放送受信機２０とテレビ受像機３０に送信するものである。図３には、分岐器５０の回路図を示す。この分岐器５０は、公知の分岐器と同様に、幹線５１と分岐線５２を備え、幹線５１には幹線側入力端子（入力端子）５３と幹線側出力端子（出力端子）５４が接続され、分岐線５２の端部には分岐側出力端子（分岐端子）５５が接続されている。そして、図１、３に示すように、切り替え器４０の出力端子４３と分岐器５０の幹線側入力端子５３とが同軸ケーブル７２で接続され、分岐器５０の幹線側出力端子５４とパワーインサータ６０とが同軸ケーブル７３で接続され、分岐器５０の分岐側出力端子５５とテレビ受像機３０とが同軸ケーブル７５で接続されている。すなわち、概略的には、幹線側入力端子５３、幹線５１、及び幹線側出力端子５４によって構成される幹線系統には、パワーインサータ６０を介して告知放送受信機２０が接続され、幹線側入力端子５３、分岐線５２、及び分岐側出力端子５５によって構成される分岐系統には、テレビ受像機３０が接続されている。このように、分岐器５０の分岐系統ではなく幹線系統に告知放送受信機２０を接続する理由は、無給電式の光受信機１０によるＦＭ信号の出力レベルが非常に小さいことに鑑みて、分岐系統に比べて信号ロスが少ない幹線系統に告知放送受信機２０を接続することにより、分岐器５０によるＦＭ信号の信号ロスを最小限に抑えることが可能になるからである。なお、幹線系統は、直流電圧の通過が可能な、いわゆる電通となっている。
【００３５】
（構成−パワーインサータ）
図１において、パワーインサータ６０は、光受信機１０に対してＤＣ電源（電圧）を給電するための電源供給器である。このパワーインサータ６０は、分岐器５０の幹線側出力端子５４と告知放送受信機２０との相互間に同軸ケーブル７３、７４を介して接続されている。このように、テレビ受像機３０ではなく告知放送受信機２０の前段にパワーインサータ６０を配置する理由は、本実施の形態では、上述のように、分岐器５０の幹線系統に告知放送受信機２０を接続していること、及び分岐器５０の幹線系統が電通となっていることから、告知放送受信機２０の前段にパワーインサータ６０を配置することで、分岐器５０の幹線系統を介して電源を光受信機１０に供給することが可能になるからである。なお、パワーインサータ６０については、従来と同様に構成することができるので、その詳細な説明は省略する。
【００３６】
（動作）
次に、このように構成された光受信システム１の動作について説明する。まず、給電時には、切り替え器４０の切り替えスイッチ４４を図２の点線の状態に切り替えることにより、ＲＦ入力端子４１を出力端子４３に接続する。この状態においては、パワーインサータ６０から供給された電力が、分岐器５０の幹線系統を介して切り替え器４０の出力端子４３に入力し、ＲＦ入力端子４１を介して光受信機１０のＲＦ出力端子１１に入力されることで、光受信機１０に電力が供給される。そして、光受信機１０のＲＦ出力端子１１から出力されたＲＦ信号が、切り替え器４０のＲＦ入力端子４１に入力され、出力端子４３から出力され、分岐器５０の幹線系統を介して告知放送受信機２０に入力されると共に、分岐器５０の分岐系統を介してテレビ受像機３０に入力される。この結果、告知放送受信機２０による告知放送と、テレビ受像機３０によるＴＶ受像が可能になる。
【００３７】
一方、無給電時には、切り替え器４０の切り替えスイッチ４４を手動で図２の実線の状態に切り替えることにより、ＦＭ入力端子４２を出力端子４３に接続する。この状態においては、光受信機１０は無給電時の所定の機能に従って、ＦＭ出力端子１２からＦＭ信号を出力する。そして、このＦＭ信号が、切り替え器４０のＦＭ入力端子４２に入力され、出力端子４３から出力され、分岐器５０の幹線系統を介して告知放送受信機２０に入力されると共に、分岐器５０の分岐系統を介してテレビ受像機３０に入力される。この結果、無給電時であっても、告知放送受信機２０による告知放送が可能になる。
【００３８】
なお、このような切り替えスイッチ４４の手動切り替えの操作忘れ等を防止するため、告知放送受信機２０からユーザに対して、当該告知放送受信機２０に対する外部電源からの電源の供給状態に応じて、ユーザに対する注意喚起を音声や表示により出力してもよい。例えば、告知放送受信機２０の図示しない制御部は、当該告知放送受信機２０に対する外部電源からの電源の供給状態を監視しており、電源が所定時間以上遮断された場合であって、かつ、自己に対して上流側から所定レベル以上の信号が入力されなくなった場合には、停電等が発生したものの、ユーザが切り替えスイッチ４４の手動切り替えを忘れているために信号の入力がない可能性が高いとし、「切り替えスイッチ４４を無給電側に切り替えて下さい」のような音声メッセージを出力したり、同様の文字メッセージを図示しない液晶パネル等に表示したり、図示しない切り替えスイッチ確認要求灯の如き所定の表示灯を点灯又は点滅させたりすることで、ユーザに対する注意喚起を行ってもよい。また、その後、電源が所定時間以上継続して供給された場合であって、かつ、自己に対して上流側から所定レベル以上の信号が入力されなくなった場合には、停電等が復旧したものの、ユーザが切り替えスイッチ４４の手動切り替えを忘れているために信号の入力がない可能性が高いとし、「切り替えスイッチ４４を給電側に切り替えて下さい」のような音声メッセージを出力したり、同様の文字メッセージを液晶パネル等に表示したり、切り替えスイッチ確認要求灯の如き所定の表示灯を点灯又は点滅させたりすることで、ユーザに対する注意喚起を行ってもよい。
【００３９】
（効果）
このように実施の形態１によれば、切り替え器４０から分岐器５０に至る間の伝送路を１本の同軸ケーブル７２で構成することができ、従来のように複数の同軸ケーブルを使用していた場合に比べて、同軸ケーブルの単線化を図ることができ、美観性や施工性を向上させることができる。また、この構成では、光受信機１０の改造が不要であるため、既設の光受信機１０をそのまま使用して光受信システム１を構成することができる。さらに、この構成では、信号の混合や分波を行う必要がないために、信号の損失を生じさせることがない。
【００４０】
〔実施の形態２〕
次に、実施の形態２について説明する。この実施の形態２は、実施の形態１と同様の切り替え器に対して、さらに、切り替え器の出力端子に入力された電源を、切り替え手段を介することなく、ＲＦ入力端子に給電する第１給電路を設けた形態である。ただし、実施の形態２の構成及び動作に関して、特に説明なき場合には実施の形態１と同様であるものとし、実施の形態１と同様の構成に対しては、必要に応じて、実施の形態１の説明で使用したものと同じ符号を付す。
【００４１】
（構成）
図４は、実施の形態２に係る切り替え器８０の回路図である。この図４に示すように、切り替え器８０において、ＲＦ入力端子４１と出力端子４３は、チョークコイル８１を介して直流的に接続されている。このチョークコイル８１は、ＲＦ入力端子４１と出力端子４３とを、切り替えスイッチ４４を介することなく、相互に接続するように設けられた第１給電路を構成する。この構成では、切り替えスイッチ４４が図４の点線側（給電時）と実線側（無給電時）のいずれに切り替えられている場合であっても、この切り替え状態に関わらず、ＲＦ入力端子４１と出力端子４３とがチョークコイル８１を介して接続される。このため、パワーインサータ６０から出力端子４３に入力された電源が、チョークコイル８１を介してＲＦ入力端子４１に入力され、その上流の光受信機１０に供給される。従って、切り替えスイッチ４４が点線側に切り替えられている場合であって、パワーインサータ６０から出力端子４３に入力された電源がＲＦ入力端子４１に入力されている場合において、間違えてまたは故意に切り替えスイッチ４４が実線側に切り替えられた場合であっても、切り替えスイッチ４４にサージが発生しなくなり、サージによって切り替えスイッチ４４にストレスが生じることを防止できる。また、一般に光受信機１０は屋外に設置されることが多く、光受信機１０を電源ＯＦＦ状態としたままで長期間放置しておくと、光受信機１０が湿度によりダメージを受けることがあるが、パワーインサータ６０からの電源を切り替え器８０を介して常に光受信機１０に給電することで、光受信機１０を自己発熱させて耐湿度性を高めておくことができ、光受信機１０が湿度によりダメージを受けることを防止できる。
【００４２】
（効果）
このように実施の形態２によれば、実施の形態１と同様の効果に加えて、切り替えスイッチ４４の切り替え状態に関わらず、パワーインサータ６０からの電源がＲＦ入力端子４１に入力されるので、切り替えスイッチ４４にサージが発生することを防止でき、サージによって切り替えスイッチ４４にストレスが生じることを防止できる。また、パワーインサータ６０からの電源を切り替え器８０を介して常に光受信機１０に給電することで、光受信機１０を自己発熱させて耐湿度性を高めておくことができ、光受信機１０が湿度によりダメージを受けることを防止できる。
【００４３】
〔実施の形態３〕
次に、実施の形態３について説明する。この実施の形態３は、実施の形態１と同様の切り替え器を、当該切り替え器の下流側に配置された電源供給器から供給され出力端子に入力された電源によって駆動されるように構成した形態である。ただし、実施の形態３の構成及び動作に関して、特に説明なき場合には実施の形態１と同様であるものとし、実施の形態１と同様の構成に対しては、必要に応じて、実施の形態１の説明で使用したものと同じ符号を付す。
【００４４】
（構成）
図５は、実施の形態３に係る切り替え器９０の回路図である。この図５に示すように、切り替え器９０には、リレー９１とチョークコイル９２が設けられている。リレー９１は、出力端子４３に接続されており、切り替え器９０の下流側に配置されたパワーインサータ６０から供給され出力端子４３に入力された電源によって駆動され、給電時には、ＲＦ入力端子４１を出力端子４３に接続し、無給電時には、ＦＭ入力端子４２を出力端子４３に接続する。従って、パワーインサータ６０からの給電の有無に応じて切り替えスイッチ４４を自動的に動作させることが可能になる。また、チョークコイル９２は、リレー９１のコイルラインに対する交流成分をカットをするコイルであり、出力端子４３とリレー９１の相互間に接続されている。ただし、リレー９１の駆動電流が小さい場合には、チョークコイル９２に代えて、単なるコイルを使用してもよい。また、リレー９１のコイルで交流成分をカットできる場合には、チョークコイル９２を省略してもよい。
【００４５】
（効果）
このように実施の形態３によれば、実施の形態１と同様の効果に加えて、パワーインサータ６０からの給電の有無に応じて切り替えスイッチ４４を自動的に動作させることが可能になるので、切り替えスイッチ４４を手動で操作する手間を省くことができると共に、手動操作時の誤動作を防止することができる。
【００４６】
〔実施の形態４〕
次に、実施の形態４について説明する。この実施の形態４は、実施の形態２と同様の切り替え器の切り替え手段を、電気式スイッチとして構成した形態である。ただし、実施の形態４の構成及び動作に関して、特に説明なき場合には実施の形態２と同様であるものとし、実施の形態２と同様の構成に対しては、必要に応じて、実施の形態２の説明で使用したものと同じ符号を付す。
【００４７】
（構成）
図６は、実施の形態４に係る切り替え器１００の回路図である。この図６に示すように、切り替え器１００には、切り替えスイッチ１０１及び直流カットコンデンサ１０２、１０３が設けられている。切り替えスイッチ１０１は、ＲＦ入力端子４１又はＦＭ入力端子４２のいずれか一方を、選択的に出力端子４３に切り替えて接続する切り替え手段であり、電気式スイッチとして構成されている。具体的には、切り替えスイッチ１０１は、第１回路ブロック１０４と第２回路ブロック１０５を備えて構成されている。概略的には、第１回路ブロック１０４は、給電時に、ＲＦ入力端子４１を出力端子４３に接続させ、第２回路ブロック１０５は、無給電時に、ＦＭ入力端子４２を出力端子４３に接続させる。具体的には、第１回路ブロック１０４は、ＲＦ入力端子４１と出力端子４３を接続する主線路１０６に配置されたピンダイオード１０４ａと、この主線路１０６に接続された分岐線路１０７に配置された交流カットコイル１０４ｂ及び電流制限抵抗１０４ｃを備えて構成されている。一方、第２回路ブロック１０５は、主線路１０６に接続された分岐線路１０８に配置されたＦＥＴ１０５ａと、このＦＥＴ１０５ａに対してバイアス電圧をかけるための抵抗１０５ｂ、１０５ｃとを備えて構成されている。直流カットコンデンサ１０２は、ＲＦ入力端子４１への直流成分の流入をカットするコンデンサであり、直流カットコンデンサ１０３は、ＦＭ入力端子４２への直流成分の流入をカットするコンデンサである。
【００４８】
（動作）
このように構成された切り替え器１００において、給電時には、パワーインサータ６０から出力端子４３に電圧が印加されると、交流カットコイル１０４ｂと電流制限抵抗１０４ｃを介して、ピンダイオード１０４ａに電流が流れることで、ＲＦ入力端子４１と出力端子４３の間のインピーダンスが小さくなり、ＲＦ入力端子４１と出力端子４３が実質的に接続状態になる。また、この給電時には、パワーインサータ６０から出力端子４３に電圧が印加されると、ＦＥＴ１０５ａのゲート−ソース間に負電圧（ソース電圧に対してゲート電圧が低い）が印加され、ＦＥＴ１０５ａのインピーダンスが大きくなるので、ＦＭ入力端子４２と出力端子４３が実質的に非接続状態になる。
【００４９】
一方、無給電時には、パワーインサータ６０から出力端子４３に電圧が印加されないことから、ピンダイオード１０４ａに電流が流れないため、ＲＦ入力端子４１と出力端子４３の間のインピーダンスが大きくなり、ＲＦ入力端子４１と出力端子４３が実質的に非接続状態になる。また、この無給電時には、パワーインサータ６０から出力端子４３に電圧が印加されないことから、ＦＥＴ１０５ａのゲート−ソース間電圧が０Ｖになり、ＦＥＴ１０５ａのインピーダンスが小さくなるので、ＦＭ入力端子４２と出力端子４３が実質的に接続状態になる。
【００５０】
（効果）
このように実施の形態４によれば、実施の形態２と同様の効果に加えて、切り替えスイッチ１０１を電気式のスイッチとして構成することで、その信頼性を一層向上させることができる。さらに、実施の形態３と同様に、給電の有無に応じて切り替えスイッチ１０１を自動的に動作させることが可能になるので、切り替えスイッチ１０１を手動で操作する手間を省くことができると共に、手動操作時の誤動作を防止することができる。
【００５１】
〔実施の形態５〕
次に、実施の形態５について説明する。この実施の形態５は、実施の形態１と同様の切り替え器に対して、さらに、電源の入力を受ける電源入力端子と、この電源入力端子に入力された電源を、切り替え手段を介することなく、ＲＦ入力端子に給電する第２給電路を設けた形態である。ただし、実施の形態５の構成及び動作に関して、特に説明なき場合には実施の形態１と同様であるものとし、実施の形態１と同様の構成に対しては、必要に応じて、実施の形態１の説明で使用したものと同じ符号を付す。
【００５２】
（構成）
図７は、実施の形態５に係る切り替え器１１０の回路図である。この図７に示すように、切り替え器１１０には、電源入力端子１１１、チョークコイル１１２、及び直流カットコンデンサ１１３が設けられている。電源入力端子１１１は、図示しないＡＣアダプタ（外部電源）から給電されたＤＣ電源の入力を受ける端子である。チョークコイル１１２は、電源入力端子１１１に入力された電源を、切り替えスイッチ４４を介することなく、ＲＦ入力端子４１に給電する第２給電路である。直流カットコンデンサ１１３は、出力端子４３への直流成分の流入をカットするコンデンサである。この構成によれば、図１のパワーインサータ６０の機能を切り替え器１１０に持たせることができ、パワーインサータ６０を省略することができる。
【００５３】
（効果）
このように実施の形態５によれば、実施の形態１と同様の効果に加えて、パワーインサータ６０を省略することができるので、光受信システム１を一層簡易かつ安価に構成することができる。また、実施の形態２と同様に、サージによって切り替えスイッチ４４にストレスが生じることを防止できると共に、光受信機１０が湿度によりダメージを受けることを防止できる。
【００５４】
〔実施の形態６〕
次に、実施の形態６について説明する。この実施の形態６は、実施の形態５と同様の切り替え器の切り替え手段を、切り替え器の外部の電源から供給され電源入力端子に入力された電源によって駆動されるように構成した形態である。ただし、実施の形態６の構成及び動作に関して、特に説明なき場合には実施の形態５と同様であるものとし、実施の形態５と同様の構成に対しては、必要に応じて、実施の形態５の説明で使用したものと同じ符号を付す。
【００５５】
（構成）
図８は、実施の形態６に係る切り替え器１２０の回路図である。この図８に示すように、切り替え器１２０には、リレー１２１とチョークコイル１２２が設けられている。リレー１２１は、チョークコイル１１２、１２２を介して電源入力端子１１１に接続されており、図示しないＡＣアダプタ（外部電源）から電源入力端子１１１に入力された電源により駆動されて、給電時には、切り替えスイッチ４４を点線側に動作させることで、ＲＦ入力端子４１を出力端子４３に接続させ、無給電時には、切り替えスイッチ４４を実線側に動作させることで、ＦＭ入力端子４２を出力端子４３に接続させる。従って、給電の有無に応じて切り替えスイッチ４４を自動的に動作させることが可能になる。また、チョークコイル１２２は、リレー１２１のコイルラインに対する交流成分をカットをするコイルであり、電源入力端子１１１とリレー１２１の相互間に接続されている。ただし、リレー１２１の駆動電流が小さい場合には、チョークコイル１２２に代えて、単なるコイルを使用してもよい。また、リレー１２１のコイルで交流成分をカットできる場合には、チョークコイル１２２を省略してもよい。
【００５６】
（効果）
このように実施の形態６によれば、実施の形態５と同様の効果に加えて、給電の有無に応じて切り替えスイッチ４４を自動的に動作させることが可能になるので、切り替えスイッチ４４を手動で操作する手間を省くことができると共に、手動操作時の誤動作を防止することができる。
【００５７】
〔実施の形態７〕
次に、実施の形態７について説明する。この実施の形態７は、実施の形態５と同様の切り替え器の切り替え手段を、実施の形態４と同様に電気式スイッチとして構成した形態である。ただし、実施の形態７の構成及び動作に関して、特に説明なき場合には実施の形態４、５と同様であるものとし、実施の形態４、５と同様の構成に対しては、必要に応じて、実施の形態４、５の説明で使用したものと同じ符号を付す。
【００５８】
（構成）
図９は、実施の形態７に係る切り替え器１３０の回路図である。この図９に示すように、切り替え器１３０には、切り替えスイッチ１０１に加えて、チョークコイル１３１、及び直流カットコンデンサ１３２が設けられている。チョークコイル１３１は、電源入力端子１１１に入力された電源を、第１回路ブロック１０４と第２回路ブロック１０５に供給するコイルである。ただし、第１回路ブロック１０４と第２回路ブロック１０５の駆動電流が小さい場合には、チョークコイル１３１に代えて、単なるコイルを使用してもよい。直流カットコンデンサ１３２は、出力端子４３への直流成分の流入をカットするコンデンサである。
【００５９】
（効果）
このように実施の形態７によれば、実施の形態５と同様の効果に加えて、実施の形態４と同様に、切り替えスイッチ１０１を電気式のスイッチとして構成することで、その信頼性を一層向上させることができる。さらに、実施の形態６と同様に、給電の有無に応じて切り替えスイッチ１０１を自動的に動作させることが可能になるので、切り替えスイッチ１０１を手動で操作する手間を省くことができると共に、手動操作時の誤動作を防止することができる。
【００６０】
〔実施の形態８〕
次に、実施の形態８について説明する。この実施の形態８は、実施の形態５と同様の切り替え器に対して、さらに、実施の形態２と同様に第１給電路を設けた形態である。ただし、実施の形態８の構成及び動作に関して、特に説明なき場合には実施の形態２、５と同様であるものとし、実施の形態２、５と同様の構成に対しては、必要に応じて、実施の形態２、５の説明で使用したものと同じ符号を付す。
【００６１】
（構成）
図１０は、実施の形態８に係る切り替え器１４０の回路図である。この図１０に示すように、切り替え器１４０には、ダイオード１４１、１４２及びチョークコイル１４３が設けられている。チョークコイル１４３は、チョークコイル１１２と共に、ＲＦ入力端子４１と出力端子４３とを、切り替えスイッチ４４を介することなく、相互に接続するように設けられた第１給電路を構成する。ダイオード１４１は、電源入力端子１１１への電源の逆流を防止するものであり、ダイオード１４２は、出力端子４３への電源の逆流を防止するものである。この構成では、電源入力端子１１１と出力端子４３の両方から電圧が印加された場合、電圧源同士の接続になるために電源が故障する可能性があるが、ダイオード１４１、１４２を入れているため、電源同士の接続を防止することができる。
【００６２】
このように、チョークコイル１１２による第２給電路を設けた上で、さらにチョークコイル１４３による第１給電路を設けるのは、以下の理由による。すなわち、切り替え器１４０から分岐器５０に至る同軸ケーブル７２を１本とする本願発明の目的からすれば、切り替え器１４０を光受信機１０の下流側の近傍位置に配置することが好ましい。しかしながら、光受信機１０の近傍に必ずしも電源コンセントがあるとは限らないため、パワーインサータ６０を別途設ける必要が生じることも考えられる。そこで、本実施の形態８の如き構成を採用することで、光受信機１０の近傍に電源コンセントがある場合には、当該電源コンセントから電源入力端子１１１及びチョークコイル１１２を介して電源を光受信機１０に給電し、光受信機１０の近傍に電源コンセントがない場合には、切り替え器１４０の下流側に配置したパワーインサータ６０からチョークコイル１４３、１１２を介して電源を光受信機１０に給電することで、電源状態に応じた形態で光受信機１０への給電を行うことが可能になる。
【００６３】
（効果）
このように実施の形態８によれば、実施の形態５と同様の効果に加えて、電源状態に応じた形態で光受信機１０への給電を行うことが可能になるので、光受信システム１の汎用性や構成上の柔軟性を向上させることができる。
【００６４】
〔実施の形態９〕
次に、実施の形態９について説明する。この実施の形態９は、実施の形態８と同様の切り替え器に対して、さらに、切り替え器の切り替え手段を、切り替え器の外部の電源から供給された電源によって駆動されるように構成した形態である。ただし、実施の形態９の構成及び動作に関して、特に説明なき場合には実施の形態８と同様であるものとし、実施の形態８と同様の構成に対しては、必要に応じて、実施の形態８の説明で使用したものと同じ符号を付す。
【００６５】
（構成）
図１１は、実施の形態９に係る切り替え器１５０の回路図である。この図１１に示すように、切り替え器１５０には、リレー１５１とチョークコイル１５２が設けられている。リレー１５１は、出力端子４３又は電源入力端子１１１を介した給電時には、切り替えスイッチ４４を点線側に動作させることで、ＲＦ入力端子４１を出力端子４３に接続させ、無給電時には、切り替えスイッチ４４を実線側に動作させることで、ＦＭ入力端子４２を出力端子４３に接続させる。また、チョークコイル１５２は、リレー１５１のコイルラインに対する交流成分をカットするコイルである。
【００６６】
（効果）
このように実施の形態９によれば、実施の形態５と同様の効果に加えて、給電の有無に応じて切り替えスイッチ４４を自動的に動作させることが可能になるので、切り替えスイッチ４４を手動で操作する手間を省くことができると共に、手動操作時の誤動作を防止することができる。
【００６７】
〔実施の形態１０〕
次に、実施の形態１０について説明する。この実施の形態１０は、実施の形態８と同様の切り替え器の切り替えスイッチを、実施の形態７と同様に電気式スイッチとして構成した形態である。ただし、実施の形態１０の構成及び動作に関して、特に説明なき場合には実施の形態７、８と同様であるものとし、実施の形態７、８と同様の構成に対しては、必要に応じて、実施の形態７、８の説明で使用したものと同じ符号を付す。
【００６８】
（構成）
図１２は、実施の形態１０に係る切り替え器１６０の回路図である。この図１２に示すように、切り替え器１６０には、切り替えスイッチ１０１、チョークコイル１３１、及び直流カットコンデンサ１０２、１０３が設けられている。
【００６９】
（効果）
このように実施の形態１０によれば、実施の形態８と同様の効果に加えて、実施の形態７と同様に、切り替えスイッチ１０１を電気式のスイッチとして構成することで、その信頼性を一層向上させることができる。さらに、実施の形態９と同様に、給電の有無に応じて切り替えスイッチ１０１を自動的に動作させることが可能になるので、切り替えスイッチ１０１を手動で操作する手間を省くことができると共に、手動操作時の誤動作を防止することができる。
【００７０】
〔各実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００７１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７２】
（具体的な回路構成について）
光受信機１０、切り替え器４０、８０、９０、１００、１１０、１２０、１３０、１４０、１５０、１６０、及び分岐器５０の具体的な回路構成としては、上記説明したこれらの機能を奏することができる限りにおいて、各実施の形態で例示した回路構成以外にも、公知の回路構成を適用することができる。
【００７３】
（各実施の形態の相互の関係について）
各実施の形態は、相互に組み合わせることもできる。例えば、図４に示した切り替え器８０のチョークコイル８１を、図５に示した切り替え器９０に同様に適用してもよい。この場合でも、商用電源の瞬断や無給電時（直流電流が突然カットされた時）に起きるサージを抑制することが可能になる。
【符号の説明】
【００７４】
１  光受信システム
１０、２００  光受信機
１１、２０１  ＲＦ出力端子
１２、２０２  ＦＭ出力端子
２０、２０６  告知放送受信機
３０、２０４  テレビ受像機
４０、８０、９０、１００、１１０、１２０、１３０、１４０、１５０、１６０  切り替え器
４１  ＲＦ入力端子
４２  ＦＭ入力端子
４３  出力端子
４４、１０１  切り替えスイッチ
５０、２０８  分岐器
５１  幹線
５２  分岐線
５３  幹線側入力端子
５４  幹線側出力端子
５５  分岐側出力端子
６０  パワーインサータ
７０〜７５、２０３、２０５  同軸ケーブル
８１、９２、１１２、１２２、１３１、１４３、１５２  チョークコイル
９１、１２１、１５１  リレー
１０２、１０３、１１３、１３２  直流カットコンデンサ
１０４  第１回路ブロック
１０４ａ  ピンダイオード
１０４ｂ  交流カットコイル
１０４ｃ  電流制限抵抗
１０５  第２回路ブロック
１０５ａ  ＦＥＴ
１０５ｂ、１０５ｃ  抵抗
１０６  主線路
１０７、１０８  分岐線路
１１１  電源入力端子
１４１、１４２  ダイオード
２０７  分配器
２０９  混合器
【図１】
0005731895.tif 000002
【図２】
0005731895.tif 000003
【図３】
0005731895.tif 000004
【図４】
0005731895.tif 000005
【図５】
0005731895.tif 000006
【図６】
0005731895.tif 000007
【図７】
0005731895.tif 000008
【図８】
0005731895.tif 000009
【図９】
0005731895.tif 000010
【図１０】
0005731895.tif 000011
【図１１】
0005731895.tif 000012
【図１２】
0005731895.tif 000013
【図１３】
0005731895.tif 000014
【図１４】
0005731895.tif 000015
【図１５】
0005731895.tif 000016